(57)【要約】      （修正有）【課題】鍵にクリック感を付与する機能とスイッチ機能とを一体化し、部品点数を削減して製品の低コスト化を図ることができる鍵盤装置を提供する。【解決手段】鍵盤シャーシ１上に上下方向に回転可能に設けられた鍵２の押鍵操作時に鍵２にクリック感を付与するクリック感付与部材１２を備え、このクリック感付与部材１２が、鍵２に設けられた導電性を有する押圧突起部１３と、鍵盤シャーシ１に対して片持ち梁状態で設けられ、鍵２を押鍵操作した際に押圧突起部１３によって押し下げられて撓み変形することにより、押圧突起部１３が乗り越える弾性部材１５とを備え、この弾性部材１５が、絶縁性弾性部と導電性弾性部とを鍵２の前後方向に対し直交する方向に沿って交互に配列させた状態で一体に形成した。従って弾性部材１５が導電性を有する押圧突起部１３によって押し下げられる際に、絶縁性弾性部を挟んで隣接する導電性弾性部同士を導通させることができる。【選択図】図２
2012003035.tif 000002
【特許請求の範囲】
【請求項１】
鍵盤シャーシと、この鍵盤シャーシ上に上下方向に回転可能に設けられた鍵と、この鍵の押鍵操作時に前記鍵にクリック感を付与するクリック感付与部材とを備えた鍵盤装置において、
前記クリック感付与部材は、前記鍵に設けられた導電性を有する押圧突起部と、前記鍵盤シャーシに対して片持ち梁状態で設けられ、前記鍵を押鍵操作した際に前記押圧突起部によって押し下げられて撓み変形することにより、前記押圧突起部が乗り越える弾性部材とを備え、
この弾性部材は、絶縁性弾性部と導電性弾性部とが前記鍵の前後方向に対し直交する方向に沿って交互に配列された状態で一体に形成されていることを特徴とする鍵盤装置。
【請求項２】
前記押圧突起部は、前記鍵が押鍵操作された際に前記弾性部材を押し下げて撓み変形させる第１斜面と、この第１斜面が前記弾性部材を乗り越えて前記鍵が初期位置に戻る際に前記弾性部材に下側から接触して前記弾性部材をすり抜ける第２斜面とを備えていることを特徴とする請求項１に記載の鍵盤装置。
【請求項３】
前記押圧突起部の前記第１斜面と前記第２斜面との各表面には、前記弾性部材に弾接した際に、前記絶縁性弾性部を挟んで隣接する前記導電性弾性部同士を導通させるための導電層がそれぞれ設けられていることを特徴とする請求項２に記載の鍵盤装置。
【請求項４】
前記弾性部材は、絶縁性弾性部と導電性弾性部とを前記鍵の前後方向に対し直交する方向に沿って交互に配列させた状態で一体に形成してなる第１弾性体と、絶縁性弾性部と導電性弾性部とを前記鍵の前後方向に対し直交する方向に沿って交互に配列させた状態で一体に形成してなる第２弾性体とを有し、この第１、第２の各弾性体が絶縁層を介して積層されていることを特徴とする請求項１〜請求項３のいずれかに記載の鍵盤装置。
【発明の詳細な説明】
【技術分野】
【０００１】
この発明は、電子ピアノや電子オルガンなどの電子鍵盤楽器の鍵盤装置に関する。
【背景技術】
【０００２】
従来、電子鍵盤楽器においては、特許文献１に記載されているように、アコースティックピアノの鍵タッチ感に近似した鍵タッチ感を得るために、押鍵操作時に鍵荷重を急激に軽くして、鍵荷重が抜ける感覚のレットオフ効果を付与するクリック感付与部材を備えた構成のものが知られている。
【先行技術文献】
【特許文献】
【０００３】
【特許文献１】特開平０６−３１８０７７号公報
【０００４】
この種の電子鍵盤楽器は、鍵の押鍵操作に応じて上下方向に回転して鍵にアクション荷重を付与するハンマー部材を備え、このハンマー部材が回転する際に、クリック感付与部材がハンマー部材に対して鍵荷重を重くした後に、鍵荷重を急激に軽くして、鍵荷重が抜けるような感覚のクリック感を付与することにより、鍵にレットオフ効果を付与するように構成されている。
【０００５】
この場合、クリック感付与部材は、鍵が押鍵されてハンマー部材が回転する際にハンマー部材が当接するローラと、このローラを回転自在に支持してハンマー部材に対する接離方向に弾性変形する板ばねとを備え、鍵が押鍵されてハンマー部材が回転する際に、ハンマー部材がローラに当接して鍵荷重を重くし、ハンマー部材が板ばねのばね力に抗してローラを乗り越えたときに、鍵荷重を急激に軽くして、鍵荷重が抜ける感覚のクリック感を鍵に付与するように構成されている。
【０００６】
また、このような電子鍵盤楽器では、クリック感付与部材がクリック感を付与するタイミングのときに発音開始を指示するためのスイッチ信号を出力するスイッチ部を備えている。このスイッチ部は、鍵盤シャーシに設けられたスイッチ基板上にゴムシートを設け、このゴムシートにドーム状の膨出部を一体に形成し、この膨出部内に可動接点を設け、スイッチ基板に可動接点が接離可能に接触する固定接点を設けた構成になっている。
【０００７】
これにより、スイッチ部は、鍵が押鍵操作されて、ハンマー部材が鍵にアクション荷重を付与しながらクリック感付与部材のローラを乗り越えるときに、ゴムシートの膨出部がハンマー部材で押されて弾性変形し、この弾性変形したドーム状の膨出部内の可動接点がスイッチ基板上の固定接点に接触することにより、スイッチ信号を出力するように構成されている。
【発明の概要】
【発明が解決しようとする課題】
【０００８】
しかしながら、このような従来の電子鍵盤楽器では、鍵にクリック感を付与するクリック感付与部材と、押鍵操作によって発音開始を指示するためのスイッチ信号を得るスイッチ部とが、必要であるため、部品点数が多く、組立作業が煩雑になるばかりか、生産性が悪く、製品コストが高くなるという問題がある。
【０００９】
この発明が解決しようとする課題は、鍵にクリック感を付与する機能とスイッチ機能とを一体化し、部品点数を削減して製品の低コスト化を図ることができる鍵盤装置を提供することである。
【課題を解決するための手段】
【００１０】
この発明は、上記課題を解決するために、次のような構成要素を備えている。
請求項１に記載の発明は、鍵盤シャーシと、この鍵盤シャーシ上に上下方向に回転可能に設けられた鍵と、この鍵の押鍵操作時に前記鍵にクリック感を付与するクリック感付与部材とを備えた鍵盤装置において、前記クリック感付与部材は、前記鍵に設けられた導電性を有する押圧突起部と、前記鍵盤シャーシに対して片持ち梁状態で設けられ、前記鍵を押鍵操作した際に前記押圧突起部によって押し下げられて撓み変形することにより、前記押圧突起部が乗り越える弾性部材とを備え、この弾性部材は、絶縁性弾性部と導電性弾性部とが前記鍵の前後方向に対し直交する方向に沿って交互に配列された状態で一体に形成されていることを特徴とする鍵盤装置である。
【００１１】
請求項２に記載の発明は、前記押圧突起部が、前記鍵を押鍵操作した際に前記弾性部材を押し下げて撓み変形させる第１斜面と、この第１斜面が前記弾性部材を乗り越えて前記鍵が初期位置に戻る際に前記弾性部材に下側から接触して前記弾性部材をすり抜ける第２斜面とを備えていることを特徴とする請求項１に記載の鍵盤装置である。
【００１２】
請求項３に記載の発明は、前記押圧突起部の前記第１斜面と前記第２斜面との各表面に、前記弾性部材の前記導電性弾性部に弾接した際に、前記絶縁性弾性部を挟んで隣接する前記導電性弾性部同士を導通させるための導電層がそれぞれ設けられていることを特徴とする請求項２に記載の鍵盤装置である。
【００１３】
請求項４に記載の発明は、前記弾性部材が、絶縁性弾性部と導電性弾性部とを前記鍵の前後方向に対し直交する方向に沿って交互に配列させた状態で一体に形成してなる第１弾性体と、絶縁性弾性部と導電性弾性部とを前記鍵の前後方向に対し直交する方向に沿って交互に配列させた状態で一体に形成してなる第２弾性体とを有し、この第１、第２の各弾性体が絶縁層を介して積層されていることを特徴とする請求項１〜請求項３のいずれかに記載の鍵盤装置である。
【発明の効果】
【００１４】
この発明によれば、鍵が押鍵操作されて、鍵の押圧突起部が鍵盤シャーシに対して片持ち梁状態で設けられた弾性部材を上方から押し下げるときに、鍵荷重を急激に重くすることができ、鍵の押圧突起部が弾性部材を撓み変形させて乗り越えると、鍵荷重を急激に軽くすることができるので、鍵に鍵荷重が抜ける感覚のクリック感を付与することができる。また、鍵の押圧突起部が弾性部材を押し下げるときには、導電性を有する押圧突起部が、弾性部材の絶縁性弾性部を挟んで隣接する導電性弾性部同士を、導通させることができるので、発音開始を指示するためのスイッチ信号を得ることができる。
【００１５】
このため、鍵にクリック感を付与するクリック感付与機能と、発音開始を指示するためのスイッチ信号を得るスイッチ機能とを一体化することができる。これにより、クリック感付与部材によって鍵にクリック感を付与するタイミングと、発音の開始を指示するタイミングとをほぼ一致させることができると共に、部品点数を削減して組立作業の簡素化を図ることができ、これにより生産性を向上させて製品の低コスト化を図ることができる。
【図面の簡単な説明】
【００１６】
【図１】この発明を電子鍵盤楽器に適用した実施形態１において、鍵が押鍵されていない初期状態を示した断面図である。
【図２】図１に示された電子鍵盤楽器において、鍵の押圧突起部が弾性部材の上方に位置している状態を示した要部の拡大断面図である。
【図３】図２に示された電子鍵盤楽器における弾性部材を示した要部の拡大斜視図である。
【図４】図３に示された弾性部材の一部を段階的に破断した状態を示した要部の拡大斜視図である。
【図５】図３に示された弾性部材を分解して示した要部の拡大斜視図である。
【図６】図２に示された電子鍵盤楽器において、鍵が押されて押圧突起部が弾性部材を押し下げて撓み変形させた状態を示した要部の拡大断面図である。
【図７】図６に示された電子鍵盤楽器において、鍵が更に押されて押圧突起部が弾性部材を乗り越えて鍵にクリック感を付与した際に、弾性部材が元の位置に弾性復帰した状態を示した要部の拡大断面図である。
【図８】図７に示された電子鍵盤楽器において、鍵が初期位置に戻る際に、鍵の押圧突起部が弾性部材を下側から上側に向けてすり抜ける状態を示した要部の拡大断面図である。
【図９】図１に示された電子鍵盤楽器の押鍵操作時における鍵荷重と鍵ストロークとの特性を示した図である。
【図１０】図１に示された電子鍵盤楽器において、鍵の動作位置、第１、第２の各電極配線の導通状態、およびそのときの発音状態を表に示した図である。
【図１１】この発明を電子鍵盤楽器に適用した実施形態２において、弾性部材を示した要部の拡大斜視図である。
【図１２】図１１に示された弾性部材を分解して示した要部の拡大斜視図である。
【発明を実施するための形態】
【００１７】
（実施形態１）
以下、図１〜図１０を参照して、この発明を電子鍵盤楽器に適用した実施形態１について説明する。
この電子鍵盤楽器は、図１に示すように、楽器ケースの下部ケースを兼ねる鍵盤シャーシ１を備えている。この鍵盤シャーシ１の上部には、複数の鍵２（図１では１つのみを示す）が音階順に並列に配列された状態で、上下方向に回転可能に取り付けられている。
【００１８】
この複数の鍵２は、白鍵と黒鍵とからなっている。ただし、この実施形態１では白鍵のみを示す。これらの鍵２の各後端部（図１では左端部）には、図１に示すように、回転支点である肉厚の薄い屈曲部３がそれぞれ設けられている。この屈曲部３は、鍵２の配列方向（図１では紙面の表裏面方向）に沿って連続する共通連結部４に連結されている。この共通連結部４は、図１に示すように、鍵盤シャーシ１の後端上部（図１では左端上部）に設けられた鍵支持部５上にビス５ａによって取り付けられている。
【００１９】
この場合、共通連結部４は、図１に示すように、白鍵用の共通連結部４と黒鍵用の共通連結部４とを有し、これらが上下に重ね合わされた状態で、鍵支持部５上にビス５ａによって取り付けられている。これにより、鍵２は、図６および図７に示すように、押鍵操作されると、回転支点である屈曲部３が上下方向に弾性変形することにより、この屈曲部３を中心に上下方向に回転するように構成されている。
【００２０】
また、この鍵２の前側内部（図１では右側内部）には、図１に示すように、鍵盤シャーシ１にその上方に向けて突出して設けられた鍵ガイド部６が下側から挿入されている。これにより、鍵２は、押鍵操作された際に、鍵ガイド部６が鍵２の前側内部を相対的に上下方向に摺動することにより、横振れしないように構成されている。
【００２１】
さらに、この鍵２は、図１に示すように、そのほぼ中間部に鍵２の上下位置を規制するための位置規制部７が下側に突出して設けられている。この位置規制部７は、その下部後端にフック部７ａが設けられ、このフック部７ａが鍵盤シャーシ１の立上り部８に設けられた開口部８ａ内に挿入した状態で、上下方向に移動するように構成されている。
【００２２】
これにより、位置規制部７は、図１に示すように、鍵２が押鍵されていない初期状態の際に、位置規制部７のフック部７ａが鍵盤シャーシ１の立上り部８における開口部８ａの上部に設けられた上限ストッパ１０に当接することにより、鍵２の上限位置を規制するように構成されている。また、この位置規制部７は、図７に示すように、鍵２が押し下げられた際に、位置規制部７の下端が鍵盤シャーシ１の立上り部８における開口部８ａの下部に設けられた下限ストッパ１１に当接することにより、鍵２の下限位置を規制するように構成されている。
【００２３】
ところで、この電子鍵盤楽器は、図１および図２に示すように、押鍵操作時に鍵２にクリック感を付与するクリック感付与部材１２を備えている。このクリック感付与部材１２は、押鍵操作時に鍵２にクリック感を付与すると共に、楽音の発音を開始させるためスイッチ信号を得るように構成されている。
【００２４】
すなわち、このクリック感付与部材１２は、図１および図２に示すように、鍵２に設けられた導電性を有する押圧突起部１３と、鍵盤シャーシ１の基板支持部９上に設けられた配線基板１４と、この配線基板１４上に片持ち梁状態で設けられた弾性部材１５とを備えている。この場合、基板支持部９は、鍵盤シャーシ１の前後方向（図１では左右方向）におけるほぼ中間に位置する箇所に設けられ、その上部に配線基板１４が配置されている。
【００２５】
この配線基板１４は、図１および図２に示すように、鍵２の配列方向（図１では紙面の表裏面方向）に沿って連続する帯板状に形成されている。この配線基板１４の上面には、弾性部材１５が配線基板１４の前端部（図１では右端部）から前側（図１では右側）に突出した片持ち梁状態で、鍵２にそれぞれ対応して設けられている。
【００２６】
鍵２の押圧突起部１３は、図１および図２に示すように、鍵２の前後方向（図１では左右方向）におけるほぼ中間部にその下側に向けて突出して設けられている。この押圧突起部１３は、その下端部が配線基板１４の前端部から前側に突出した弾性部材１５の前端部（図１では右端部）の上方に位置し、この状態で鍵２が押鍵操作された際に弾性部材１５の前端部を押し下げて、弾性部材１５を撓み変形させるように構成されている。
【００２７】
この押圧突起部１３の下部には、図２および図６〜図８に示すように、鍵２が押鍵操作された際に弾性部材１５を押し下げて撓み変形させる第１斜面１３ａと、この第１斜面１３ａが弾性部材１５を乗り越えて鍵２が初期位置に戻る際に弾性部材１５に下側から接触して弾性部材１５をすり抜ける第２斜面１３ｂとが、設けられている。
【００２８】
この押圧突起部１３の第１斜面１３ａは、図２および図６に示すように、水平方向に対して後上がり（図２では左上がり）に緩やかな角度（例えば、約３０度）で傾斜する傾斜面に形成されている。また、第２斜面１３ｂは、第１斜面１３ａの後側上部（図２では左上側部）から水平方向に対して前上がり（図２では右上がり）に急な角度（例えば、約６０度）で傾斜する傾斜面に形成されている。
【００２９】
この場合、第２斜面１３ｂの上側に位置する押圧突起部１３の後部面（図７では左側面）は、図７に示すように、弾性部材１５の前端部が接触するのを防ぐために、湾曲した窪み部１３ｃに形成されている。また、第１、第２の各斜面１３ａ、１３ｂには、それぞれ導電層１６が形成されている。この導電層１６は、カーボンインクなどの導電性インクを塗布することによって形成されたものであっても良く、またアルミニウムなどの導電性金属を蒸着やめっきなどによって形成されたものであっても良い。
【００３０】
一方、弾性部材１５は、図６に示すように、鍵２が押鍵操作されて、鍵２の押圧突起部１３の第１斜面１３ａが上方から当接して押し下げられた際に、下側に向けて撓み変形して鍵２に負荷を付与した後、図７に示すように、押圧突起部１３が乗り越えるように構成されている。また、この弾性部材１５は、図８に示すように、押鍵操作された鍵２の押圧突起部１３が乗り越えた後に、鍵２が初期位置に戻る際に、鍵２の押圧突起部１３の第２斜面１３ｂが下側から接触して上側に向けて少し撓み変形するが、鍵２にほとんど負荷を付与せずに押圧突起部１３がすり抜けるように構成されている。
【００３１】
この弾性部材１５は、図３〜図５に示すように、絶縁性弾性部１７と導電性弾性部１８とが鍵２の前後方向（図１では左右方向）に対し直交する方向（つまり鍵２の配列方向）に沿って交互に配列された状態で一体に形成された第１弾性体２０と、絶縁性弾性部１７と導電性弾性部１８とが鍵２の前後方向（図１では左右方向）に対し直交する方向（つまり鍵２の配列方向）に沿って交互に配列された状態で一体に形成された第２弾性体２１とを有し、この第１、第２の各弾性体２０、２１が絶縁層２２を介して積層された構成になっている。
【００３２】
この場合、絶縁性弾性部１７は、ゴムやエラストマなどの絶縁性を有する合成樹脂製の弾性材料からなり、細長い縦板状に形成されている。導電性弾性部１８は、ゴムやエラストマなどの合成樹脂製の弾性材料中にカーボン粒子や金属粒子などの導電粒子を混入させた導電性を有する弾性材料からなり、絶縁性弾性部１７と同じ大きさの縦板状に形成されている。この絶縁性弾性部１７と導電性弾性部１８とは、図３〜図５に示すように、平面上において交互に配列されて一体化されていることにより、ゼブラ状のほぼ平板に形成されている。
【００３３】
これにより、第１弾性体２０は、図３〜図５に示すように、絶縁性弾性部１７と導電性弾性部１８とが鍵２の前後方向と直交する方向、つまり鍵２の配列方向に沿って交互に配列されたほぼ平板状に形成されている。また、第２弾性体２１も、第１弾性体２０と同様に、絶縁性弾性部１７と導電性弾性部１８とが鍵２の前後方向と直交する方向、つまり鍵２の配列方向に沿って交互に配列されたほぼ平板状に形成されている。
【００３４】
また、この第１弾性体０と第２弾性体２１との間に配置された絶縁層２２は、図３〜図５に示すように、第１弾性体２０の導電性弾性部１８と第２弾性体２１の導電性弾性部１８とが接触して相互に導通するのを防ぐように構成されている。この場合、第１弾性体２０の前端部（図４では右端部）には、鍵２の押圧突起部１３の下部に設けられた第１斜面１３ａが上方から当接する上側当接部２０ａが上方に向けて山形状に突出して形成されている。また、この第１弾性体２０の後端部（図４では左端部）には、配線基板１４上に接触する接触突起部２０ｂが下側に突出して形成されている。
【００３５】
同様に、第２弾性体２１の前端部（図４では右端部）には、図３〜図５、および図８に示すように、鍵２の押圧突起部１３の下部に設けられた第２斜面１３ｂが下方から接触する下側当接部２１ａが下方に向けて逆山形状に突出して形成されている。この第２弾性体２１は、その後端部（図４では左端部）が第１弾性体２０の接触突起部２０ｂの側面に絶縁層２２を介して対応した状態で、第１弾性体２０の下側に配置されている。
【００３６】
これにより、弾性部材１５は、図２〜図５に示すように、第２弾性体２１の後側部（図２では左側部）が配線基板１４上に位置し、第１弾性体２０と第２弾性体２１との各前側部が配線基板１４の前端部から前側に突出した片持ち梁状態で、配線基板１４上に配置されている。このため、この弾性部材１５は、図６に示すように、配線基板１４の前端部から前側に突出した部分が上下方向に撓み変形するように構成されている。
【００３７】
この場合、配線基板１４の上面には、図３〜図５に示すように、第１弾性体２０の接触突起部２０ｂの下面に位置する各導電性弾性部１８がそれぞれ接触する複数の第１電極配線Ｕ１〜Ｕｎと、第２弾性体２１の各導電性弾性部１８がそれぞれ接触する複数の第２電極配線Ｌ１〜Ｌｎとが形成されている。複数の第１電極配線Ｕ１〜Ｕｎは、図５に示すように、第１弾性体２０の接触突起部２０ｂに対する箇所から鍵２の前後方向に沿って配線基板１４の後側（図５では左端部）に向けて延出されている。
【００３８】
また、複数の第２電極配線Ｌ１〜Ｌｎは、図５に示すように、第２弾性体２１の各導電性弾性部１８に対応する箇所から鍵２の配列方向に沿って配線基板１４の左右方向（図５では右下側）に向けて延出されている。この場合、複数の第２電極配線Ｌ１〜Ｌｎは、第２弾性体２１の各導電性弾性部１８を横切るため、図５に２点鎖線で示すように、複数の導電性弾性部１８がそれぞれ接触する箇所を除いて、絶縁膜２３で覆われている。
【００３９】
すなわち、この絶縁膜２３は、ウレタン系の絶縁性樹脂からなり、図５に示すように、第１電極配線Ｕ１〜Ｕｎを除くと共に、第２電極配線Ｌ１〜Ｌｎのうち、第２弾性体１の導電性弾性部１８に接触する第２電極配線Ｌ１〜Ｌｎの各先端部を除いて、配線基板１４の上面に塗布されている。これにより、弾性部材１５は、第１弾性体２０の接触突起部２０ｂに位置する絶縁性弾性部１７と、第２弾性体２１の各絶縁性弾性部１７とがそれぞれ絶縁膜２３を介して超音波溶着によって溶着されることにより、配線基板１４上に固定されている。
【００４０】
また、この弾性部材１５は、配線基板１４上に超音波溶着によって固定される際に、第１弾性体２０の接触突起部２０ｂに位置する各導電性弾性部１８が配線基板１４の第１電極配線Ｕ１〜Ｕｎに圧接して電気的に接続されると共に、第２弾性体２１の各導電性弾性部１８が配線基板１４の第２電極配線Ｌ１〜Ｌｎに圧接して電気的に接続されるように構成されている。
【００４１】
次に、この電子鍵盤楽器の作用について説明する。
鍵２が押鍵されていない初期状態では、図１および図２に示すように、鍵２の後端部に設けられた屈曲部３の弾性復帰力によって鍵２が上方に押し上げられている。これにより、鍵２の位置規制部７のフック部７ａが鍵盤シャーシ１の立上り部８における開口部８ａの上部に設けられた上限ストッパ１０に下側から当接する。これにより、鍵２は上限位置に規制されている。この状態では、鍵２の押圧突起部１３の第１斜面１３ａが、弾性部材１５の第１弾性体２０の前端部に設けられた上側当接部２０ａに対応している。
【００４２】
この状態で、鍵２が押鍵されると、まず、鍵２が回転支点である屈曲部３を中心に図１において時計回りに回転する。このときには、鍵２の屈曲部３が弾性変形するので、図９の曲線部Ａに示すように、鍵荷重が徐々に重くなった後に、鍵荷重が少し軽くなる。そして、鍵２が更に押し下げられると、図６に示すように、鍵２の押圧突起部１３が弾性部材１５を押圧する。
【００４３】
このときには、鍵２の押圧突起部１３の第１斜面１３ａが弾性部材１５の第１弾性体２０の前端部に設けられた上側当接部２０ａに上方から当接して弾性部材１５を撓み変形させる。すなわち、弾性部材１５は、配線基板１４の前端部（図２では右端部）からその前側に向けて突出した片持ち梁状態の第１弾性体２０と第２弾性体２１とが絶縁層２２と共に下側に向けて撓み変形するので、図９の曲線部Ｂに示すように、鍵荷重が急激に重くなる。
【００４４】
このときに、押圧突起部１３の第１斜面１３ａが弾性部材１５の第１弾性体２０の上側当接部２０ａに当接すると、第１斜面１３ａの表面に設けられた導電層１６が第１弾性体２０の上側当接部２０ａに接触する。これにより、第１弾性体２０における絶縁性弾性部１７を挟んで隣接する導電性弾性部１８同士が第１斜面１３ａの導電層１６によって導通する。
【００４５】
すなわち、第１弾性体２０の導電性弾性部１８同士が第１斜面１３ａの導電層１６によって導通すると、図５に示すように、配線基板１４の第１電極配線Ｕ１〜Ｕｎのうち、第１電極配線Ｕ１、Ｕ２同士、第１電極配線Ｕ３、Ｕ４同士、および第１電極配線Ｕｎ−１、Ｕｎ同士がそれぞれ導通する。これにより、図１０に示すように、スイッチがオンになり、スイッチ信号が制御部（図示せず）に出力され、この制御部が楽音の発音開始を指示する。
【００４６】
この状態で、鍵２が更に押し下げられると、図７に示すように、鍵２の押圧突起部１３の第１斜面１３ａが弾性部材１５の第１弾性体２０の上側当接部２０ａを乗り越える。このときには、図６に示すように、押圧突起部１３の第１斜面１３ａが、弾性部材１５の第１弾性体２０における上側突起部２０ａを押し下げながら摺動して乗り越える。すると、鍵２に対する弾性部材１５の反発力による負荷がなくなるので、図９の曲線部Ｃに示すように、鍵荷重が急激に軽くなり、鍵２に鍵荷重が抜ける感覚のクリック感が付与される。
【００４７】
また、このときには、図７に示すように、弾性部材１５が弾性復帰して元の状態に戻る。この状態では、弾性部材１５の第１弾性体２０の上側当接部２０ａおよび第２弾性体２１の下側当接部２１ａが、鍵２の押圧突起部１３に接触することなく、押圧突起部１３の第２斜面１３ｂの上方に位置する。このため、押圧突起部１３の第１斜面１３ａの導電層１６による第１弾性体２０１の各導電性弾性部１８同士の導通が解除される。
【００４８】
これにより、図１０に示すように、スイッチがオフ状態になる。このときには、制御部が楽音の発音を指示し続ける。この後、更に鍵２が押し下げられると、鍵２の位置規制部７の下端が鍵盤シャーシ１の立上り部８における開口部８ａの下部に設けられた下限ストッパ１１に当接する。これにより、鍵２は下限位置に規制される。このため、図９の曲線部Ｄに示すように、鍵２の鍵荷重が再び急激に重くなる。
【００４９】
一方、押鍵された鍵２が初期位置に復帰する際には、図７および図８に示すように、鍵２の後端部に設けられた屈曲部３の弾性復帰力によって鍵２が上方に押し上げられる。これにより、図９の曲線部Ｅに示すように、鍵荷重が急激に軽くなる。このように、鍵２が屈曲部３を中心に図７において反時計回りに回転する際には、図８に示すように、鍵２の押圧突起部１３が上方に移動し、この押圧突起部１３の第２斜面１３ｂが弾性部材１５の第２弾性体２１の下側当接部２１ａに接触しながら第２弾性体２１の下側当接部２１ａをすり抜けて上方に移動する。
【００５０】
このときには、押圧突起部１３の第２斜面１３ｂが弾性部材１５の第２弾性体２１の下側当接部２１ａに接触すると、図８に示すように、第２弾性体２１の下側当接部２１ａが押圧突起部１３の第２斜面１３ｂによって僅かに引き上げられるので、弾性部材１５が上側に少し撓み変形する。これにより、押圧突起部１３の第２斜面１３ｂが第２弾性体２１の下側当接部２１ａをすり抜けて上方に移動する。このときには、図９の曲線部Ｆに示すように、鍵荷重が少し重くなる。
【００５１】
また、このときに、押圧突起部１３の第２斜面１３ｂが弾性部材１５の第２弾性体２１の下側当接部２１ａに接触すると、第２斜面１３ｂの表面に設けられた導電層１６が第２弾性体２１の下側当接部２１ａに接触する。これにより、第２弾性体２１における絶縁性弾性部１７を挟んで隣接する導電性弾性部１８同士が第２斜面１３ｂの導電層１６によって導通する。
【００５２】
すなわち、第２弾性体２１の導電性弾性部１８同士が第２斜面１３ｂの導電層１６によって導通すると、図５に示すように、配線基板１４の第２電極配線Ｌ１〜Ｌｎのうち、第２電極配線Ｌ１、Ｌ２同士、第２電極配線Ｌ３、Ｌ４同士、および第２電極配線Ｌｎ−１、Ｌｎ同士がそれぞれ導通する。
【００５３】
これにより、図１０に示すように、スイッチがオンになり、スイッチ信号が制御部に出力され、この制御部が楽音の発音停止を指示する。この後は、鍵２がその回転支点である屈曲部３の弾性復帰力によって鍵２が上方に押し上げられるので、図９の曲線部Ｇに示すように、鍵荷重が少し重くなった後、徐々に軽くなり、図１および図２に示すように、鍵２が初期位置に戻る。
【００５４】
このように、この電子鍵盤楽器によれば、鍵盤シャーシ１上に上下方向に回転可能に設けられた鍵２の押鍵操作時に鍵２にクリック感を付与するクリック感付与部材１２を備え、このクリック感付与部材１２が、鍵２に設けられた導電性を有する押圧突起部１３と、鍵盤シャーシ１の配線基板１４上に片持ち梁状態で設けられ、鍵２を押鍵操作した際に押圧突起部１３によって押し下げられて撓み変形することにより、押圧突起部１３が乗り越える弾性部材１５とを備え、この弾性部材１５が、絶縁性弾性部１７と導電性弾性部１８とを鍵２の前後方向に対し直交する方向に沿って交互に配列させた状態で一体に形成した構成であるから、鍵２にクリック感を付与する機能とスイッチ機能とを一体化することができる。
【００５５】
すなわち、この電子鍵盤楽器では、鍵２が押鍵操作されて鍵２の押圧突起部１３が鍵盤シャーシ１の弾性部材１５を上方から押し下げるときに、鍵荷重を急激に重くすることができ、鍵２の押圧突起部１３が弾性部材１５を撓み変形させて乗り越えると、鍵荷重を急激に軽くすることができるので、鍵２に鍵荷重が抜ける感覚のクリック感を付与することができる。また、鍵２の押圧突起部１３が弾性部材１５を押し下げるときには、導電性を有する押圧突起部１３が弾性部材１５の絶縁性弾性部１７を挟んで隣接する導電性弾性部１８同士を導通させることができるので、発音開始を指示するためのスイッチ信号を得ることができる。
【００５６】
このため、鍵２にクリック感を付与するクリック感付与機能と、発音開始を指示するためのスイッチ信号を得るスイッチ機能とを一体化することができる。これにより、クリック感付与部材１２によって鍵２にクリック感を付与するタイミングと、発音の開始を指示するタイミングとを一致させることができるので、アコースティックピアノの鍵タッチ感に近似した鍵タッチ感を得ることができる。また、鍵２にクリック感を付与する機能とスイッチ機能とを一体化したことにより、部品点数を削減して組立作業の簡素化を図ることができ、これにより生産性を向上させて製品の低コスト化を図ることができる。
【００５７】
この場合、押圧突起部１３は、鍵２が押鍵操作された際に弾性部材１５を押し下げて撓み変形させる第１斜面１３ａと、この第１斜面１３ａが弾性部材１５を乗り越えて鍵２が初期位置に戻る際に弾性部材１５に下側から接触して弾性部材１５をすり抜ける第２斜面１３ｂとを備えていることにより、鍵２を押鍵操作した際に押圧突起部１３の第１斜面１３ａによって弾性部材１５を確実に押し下げて撓ますことができ、これにより鍵２に負荷を付与して鍵荷重を十分に重くすることができる。
【００５８】
また、この押圧突起部１３は、第１斜面１３ａが弾性部材１５を撓み変形させて乗り越えることにより、鍵荷重を急激に軽くして鍵荷重が抜ける感覚のクリック感を鍵２に確実に且つ良好に付与することができると共に、第１斜面１３ａが弾性部材１５を乗り越えて鍵２が初期位置に戻る際に、押圧突起部１３の第２斜面１３ｂが弾性部材１５に接触してすり抜けるので、弾性部材１５が上方に少し撓むだけで、鍵２に大きな負荷が付与されないようにすることができ、これによっても、アコースティックピアノの鍵タッチ感に近似した鍵タッチ感を得ることができる。
【００５９】
この場合、押圧突起部１３は、その第１斜面１３ａと第２斜面１３ｂとの各表面に、弾性部材１５に弾接した際に、絶縁性弾性部１７を挟んで隣接する導電性弾性部１８同士を導通させるための導電層１６がそれぞれ設けられていることにより、鍵２が押鍵操作された際に、第１斜面１３ａの導電層１６が弾性部材１５における絶縁性弾性部１７を挟んで隣接する導電性弾性部１８同士を導通させることができ、これにより楽音の発音開始を指示するためのスイッチ信号を得ることができる。
【００６０】
また、この押圧突起部１３は、第１斜面１３ａが弾性部材１５を乗り越えて鍵２が初期位置に戻る際に、第２斜面１３ｂの導電層１６が弾性部材１５に接触してすり抜けることにより、第２斜面１３ｂの導電層１６が弾性部材１５における絶縁性弾性部１７を挟んで隣接する導電性弾性部１８同士を導通させることができ、これにより楽音の発音停止を指示するためのスイッチ信号を得ることができる。
【００６１】
また、この電子鍵盤楽器では、弾性部材１５が、絶縁性弾性部１７と導電性弾性部１８とを鍵２の前後方向に対し直交する方向に沿って交互に配列させた状態で一体に形成してなる第１弾性体２０と、絶縁性弾性部１７と導電性弾性部１８とを鍵２の前後方向に対し直交する方向に沿って交互に配列させた状態で一体に形成してなる第２弾性体２１とを有し、この第１、第２の各弾性体２０、２１が絶縁層２２を介して積層されていることにより、鍵２が押鍵操作された際と、第１斜面１３ａが弾性部材１５を乗り越えて鍵２が初期位置に戻る際とで、異なるスイッチ信号を得ることができる。
【００６２】
すなわち、鍵２が押鍵操作された際には、押圧突起部１３の第１斜面１３ａの導電層１６が第１弾性体２０における絶縁性弾性部１７を挟んで隣接する導電性弾性部１８同士を導通させることができるので、楽音の発音開始を指示するためのスイッチ信号を得ることができる。また、押圧突起部１３の第１斜面１３ａが弾性部材１５を乗り越えて鍵２が初期位置に戻る際には、押圧突起部１３の第２斜面１３ｂの導電層１６が第２弾性体２１における絶縁性弾性部１７を挟んで隣接する導電性弾性部１８同士を導通させることができるので、楽音の発音停止を指示するためのスイッチ信号を得ることができる。
【００６３】
さらに、この電子鍵盤楽器では、配線基板１４の上面にウレタン系の絶縁性樹脂からなる絶縁膜２３が、第１電極配線Ｕ１〜Ｕｎを除くと共に、第２電極配線Ｌ１〜Ｌｎのうち、第２弾性体１の導電性弾性部１８に接触する第２電極配線Ｌ１〜Ｌｎの各先端部を除いて、塗布されており、この絶縁膜２３を介して弾性部材１５の第１弾性体２０の接触突起部２０ｂに位置する絶縁性弾性部１７と、第２弾性体２１の各絶縁性弾性部１７とが超音波溶着によって溶着されていることにより、弾性部材１５を配線基板１４上に確実且つ良好に固定することができる。
【００６４】
このため、弾性部材１５は、配線基板１４上に超音波溶着によって固定される際に、第１弾性体２０の接触突起部２０ｂに位置する各導電性弾性部１８を配線基板１４の第１電極配線Ｕ１〜Ｕｎに圧接させて確実に且つ良好に電気的に接続することができると共に、第２弾性体２１の各導電性弾性部１８を配線基板１４の第２電極配線Ｌ１〜Ｌｎに圧接させて確実に且つ良好に電気的に接続することができる。
【００６５】
（実施形態２）
次に、図１１および図１２を参照して、この発明を電子鍵盤楽器に適用した実施形態２について説明する。
この電子鍵盤楽器は、弾性部材４０が実施形態１と異なる構成であり、これ以外は実施形態１とほぼ同じ構成になっている。すなわち、この弾性部材４０は、絶縁性弾性部１７と導電性弾性部１８とを鍵２の前後方向に対し直交する方向に沿って交互に配列した状態で一体に形成した１層構造になっている。
【００６６】
この場合にも、絶縁性弾性部１７は、実施形態１と同様、ゴムやエラストマなどの絶縁性を有する合成樹脂製の弾性材料からなり、細長い縦板状に形成されている。導電性弾性部１８は、ゴムやエラストマなどの合成樹脂製の弾性材料中にカーボン粒子や金属粒子などの導電粒子を混入させた導電性を有する弾性材料からなり、絶縁性弾性部１７と同じ大きさの縦板状に形成されている。
【００６７】
この絶縁性弾性部１７と導電性弾性部１８とは、図１１および図１２に示すように、平面上において交互に配列されて一体化されていることにより、ゼブラ状のほぼ平板に形成されている。これにより、弾性部材４０は、絶縁性弾性部１７と導電性弾性部１８とが鍵２の前後方向に対し直交する方向、つまり鍵２の配列方向に沿って交互に配列されたほぼ平板状に形成されている。
【００６８】
この弾性部材４０の前端上部（図１１では右端部）には、図１１および図１２に示すように、鍵２の押圧突起部１３の下部に設けられた第１斜面１３ａが上方から当接する上側当接部４０ａが上方に向けて山形状に突出して形成されている。また、この弾性部材４０の前端下部には、鍵２の押圧突起部１３の下部に設けられた第２斜面１３ｂが下方から接触する下側当接部４０ｂが下方に向けて逆山形状に突出して形成されている。
【００６９】
また、この弾性部材４０は、図１１および図１２に示すように、その後側部（図１１では左側部）が配線基板１４上に配置され、且つ第１弾性体２０と第２弾性体２１との各前側部（図１１では右側部）が配線基板１４の前端部（図１１では右端部）からその前側に突出した片持ち梁状態で、実施形態１と同様、配線基板１４上に超音波溶着によって固定されている。このため、この弾性部材４０は、配線基板１４の前端部から前側に突出した片持ち梁状態の部分が上下方向に撓み変形するように構成されている。
【００７０】
この場合、配線基板１４の上面には、図１２に示すように、弾性部材４０の各導電性弾性部１８がそれぞれ接触する複数の電極配線Ｐ１〜Ｐｎが形成されている。この複数の電極配線Ｐ１〜Ｐｎも、実施形態１と同様、弾性部材４０の各導電性弾性部１８の後端部（図１２では左端部）に対する箇所から鍵２の前後方向に沿って配線基板１４の後側に向けて延出されている。
【００７１】
次に、この電子鍵盤楽器の作用について説明する。
この電子鍵盤楽器においても、鍵２が押鍵されると、実施形態１と同様、まず、鍵２が回転支点である屈曲部３を中心に図１において時計回りに回転する。このときには、鍵２の屈曲部３が弾性変形するので、鍵荷重が徐々に重くなった後に、鍵荷重が少し軽くなる。そして、鍵２が更に押し下げられると、鍵２の押圧突起部１３が弾性部材４０を押圧する。
【００７２】
このときには、鍵２の押圧突起部１３の第１斜面１３ａが弾性部材４０の前端部に設けられた上側当接部４０ａに上方から当接して弾性部材４０を撓み変形させる。すなわち、弾性部材４０は、配線基板１４の前端部から前側に向けて突出した片持ち梁状態の部分が下側に向けて撓み変形する。このため、鍵荷重が急激に重くなる。
【００７３】
このときに、押圧突起部１３の第１斜面１３ａが弾性部材１５の上側当接部４０ａに当接すると、実施形態１と同様、第１斜面１３ａの表面に設けられた導電層１６が弾性部材４０の上側当接部４０ａに接触する。これにより、弾性部材４０における絶縁性弾性部１７を挟んで隣接する導電性弾性部１８同士が第１斜面１３ａの導電層１６によって導通する。
【００７４】
すなわち、弾性部材４０の導電性弾性部１８同士が第１斜面１３ａの導電層１６によって導通すると、図１２に示すように、配線基板１４の電極配線Ｐ１〜Ｐｎのうち、電極配線Ｐ１、Ｐ２同士、電極配線Ｐ３、Ｐ４同士、および電極配線Ｐｎ−１、Ｐｎ同士がそれぞれ導通する。これにより、スイッチがオンになり、スイッチ信号が制御部（図示せず）に出力され、この制御部が楽音の発音開始を指示する。
【００７５】
この状態で、鍵２が更に押し下げられると、実施形態１と同様、鍵２の押圧突起部１３の第１斜面１３ａが弾性部材４０の上側当接部４０ａを乗り越える。すると、鍵２に対する弾性部材４０の反発力による負荷がなくなるので、鍵荷重が急激に軽くなり、鍵２に鍵荷重が抜ける感覚のクリック感が付与される。
【００７６】
このときには、弾性部材４０が弾性復帰して元の状態に戻り、弾性部材４０の上側当接部４０ａおよび下側当接部４０ｂが、鍵２の押圧突起部１３に接触することなく、押圧突起部１３の第２斜面１３ｂの上方に位置する。このため、押圧突起部１３の第１斜面１３ａの導電層１６による弾性部材４０の各導電性弾性部１８同士の導通が解除される。これにより、スイッチがオフ状態になる。このときには、制御部が楽音の発音を指示し続ける。
【００７７】
この後、更に鍵２が押し下げられると、実施形態１と同様、鍵２の位置規制部７の下端が鍵盤シャーシ１の立上り部８における開口部８ａの下部に設けられた下限ストッパ１１に当接する。これにより、鍵２が下限位置に規制される。このため、鍵２の鍵荷重が再び急激に重くなる。
【００７８】
一方、押鍵された鍵２が初期位置に復帰する際には、実施形態１と同様、鍵２の後端部に設けられた屈曲部３の弾性復帰力によって鍵２が上方に押し上げられるので、鍵荷重が急激に軽くなる。このように、鍵２が屈曲部３を中心に図７において反時計回りに回転する際には、鍵２の押圧突起部１３が上方に移動し、この押圧突起部１３の第２斜面１３ｂが弾性部材４０の下側当接部４０ｂに接触しながら弾性体部材４０の下側当接部４０ｂをすり抜けて上方に移動する。
【００７９】
このときには、押圧突起部１３の第２斜面１３ｂが弾性部材４０の下側当接部４０ｂに接触する。このため、実施形態１と同様、弾性部材４０の下側当接部４０ｂが押圧突起部１３の第２斜面１３ｂによって僅かに引き上げられるので、弾性部材４０が上側に少し撓み変形する。これにより、押圧突起部１３の第２斜面１３ｂが弾性部材４０の下側当接部４０ｂをすり抜けて上方に移動するので、鍵荷重が少し重くなる。
【００８０】
このときに、押圧突起部１３の第２斜面１３ｂが弾性部材４０の下側当接部４０ｂに接触すると、第２斜面１３ｂの表面に設けられた導電層１６が弾性部材４０の下側当接部４０ｂに接触することにより、弾性部材４０における絶縁性弾性部１７を挟んで隣接する導電性弾性部１８同士が第２斜面１３ｂの導電層１６によって導通する。
【００８１】
すなわち、弾性部材４０の導電性弾性部１８同士が第２斜面１３ｂの導電層１６によって導通すると、実施形態１と同様、配線基板１４の電極配線Ｐ１〜Ｐｎのうち、電極配線Ｐ１、Ｐ２同士、電極配線Ｐ３、Ｐ４同士、および電極配線Ｐｎ−１、Ｐｎ同士がそれぞれ導通する。
【００８２】
これにより、スイッチが再びオンになり、スイッチ信号が制御部（図示せず）に出力される。このときには、制御部が楽音の発音停止を指示する。この後は、鍵２がその回転支点である屈曲部３の弾性復帰力によって鍵２が上方に押し上げられるので、実施形態１と同様、鍵荷重が少し重くなった後、徐々に軽くなり鍵２が初期位置に戻る。
【００８３】
このように、この電子鍵盤楽器においても、鍵盤シャーシ１上に上下方向に回転可能に設けられた鍵２の押鍵操作時に鍵２にクリック感を付与するクリック感付与部材１２を備え、このクリック感付与部材１２が、鍵２に設けられた導電性を有する押圧突起部１３と、鍵盤シャーシ１の配線基板１４上に片持ち梁状態で設けられ、鍵２を押鍵操作した際に押圧突起部１３によって押し下げられて撓み変形することにより、押圧突起部１３が乗り越える弾性部材４０とを備え、この弾性部材４０が、絶縁性弾性部１７と導電性弾性部１８とを鍵２の前後方向に対し直交する方向に沿って交互に配列させた状態で一体に形成した構成であるから、実施形態１と同様、鍵２にクリック感を付与する機能とスイッチ機能とを一体化することができる。
【００８４】
すなわち、この電子鍵盤楽器では、鍵２が押鍵操作されて鍵２の押圧突起部１３が鍵盤シャーシ１の弾性部材４０を上方から押し下げるときに、鍵荷重を急激に重くすることができ、鍵２の押圧突起部１３が弾性部材４０を撓み変形させて乗り越えると、鍵荷重を急激に軽くすることができるので、鍵２に鍵荷重が抜ける感覚のクリック感を付与することができる。また、鍵２の押圧突起部１３が弾性部材４０を押し下げるときには、押圧突起部１３の導電層１６が弾性部材１５の絶縁性弾性部１７を挟んで隣接する導電性弾性部１８同士を導通させることができるので、発音開始を指示するためのスイッチ信号を得ることができる。
【００８５】
このため、鍵２にクリック感を付与するクリック感付与機能と、発音開始を指示するためのスイッチ信号を得るスイッチ機能とを一体化することができる。これにより、クリック感付与部材１２によって鍵２にクリック感を付与するタイミングと、発音の開始を指示するタイミングとを一致させることができるので、アコースティックピアノの鍵タッチ感に近似した鍵タッチ感を得ることができる。また、鍵２にクリック感を付与する機能とスイッチ機能とを一体化したことにより、実施形態１と同様、部品点数を削減して組立作業の簡素化を図ることができ、これにより生産性を向上させて製品の低コスト化を図ることができる。
【００８６】
この場合、弾性部材４０は、絶縁性弾性部１７と導電性弾性部１８とを鍵２の前後方向に対し直交する方向、つまり鍵２の配列方向に沿って交互に配列させた状態で一体に形成した１層構造であるから、実施形態１よりも弾性部材４０の構造が簡単になり、より一層、製品の低コスト化を図ることができると共に、このように弾性部材４０を構成しても、実施形態１と同様、鍵２が押鍵操作された際と、第１斜面１３ａが弾性部材４０を乗り越えて鍵２が初期位置に戻る際とで、異なるスイッチ信号を出力させることができる。
【００８７】
すなわち、鍵２が押鍵操作された際には、押圧突起部１３の第１斜面１３ａの導電層１６が弾性部材４０における絶縁性弾性部１７を挟んで隣接する導電性弾性部１８同士を導通させることができるので、楽音の発音開始を指示するためのスイッチ信号を得ることができる。また、押圧突起部１３の第１斜面１３ａが弾性部材４０を乗り越えると、押圧突起部１３の第１斜面１３ａの導電層１６が弾性部材４０から離れるので、絶縁性弾性部１７を挟んで隣接する導電性弾性部１８同士の導通を解除することができる。
【００８８】
また、押圧突起部１３の第１斜面１３ａが弾性部材４０を乗り越えて鍵２が初期位置に戻る際には、押圧突起部１３の第２斜面１３ｂの導電層１６が弾性部材４０の下側当接部４０ｂに接触してすり抜けるので、第２斜面１３ｂの導電層１６によって弾性部材４０における絶縁性弾性部１７を挟んで隣接する導電性弾性部１８同士を導通させることができ、これにより楽音の発音停止を指示するためのスイッチ信号を得ることができる。
【００８９】
なお、上述した実施形態１、２では、弾性部材１５、４０の上側当接部２０ａ、４０ａを均一な高さに形成して押圧突起部１３の第１斜面１３ａが複数の導電性弾性部１８にほぼ同時に接触するように構成した場合について述べたが、これに限らず、弾性部材１５、４０の上側当接部の高さを変えることにより、押圧突起部１３の第１斜面１３ａが複数の導電性弾性部１８に時間差をもって順次接触するように構成しても良い。
【００９０】
このように構成すれば、弾性部材１５、４０の上側当接部が押圧突起部１３の第１斜面１３ａによって押し下げられて弾性部材１５、４０が撓み変形するときに、押圧突起部１３の第１斜面１３ａの導電層１６が複数の導電性弾性部１８に時間差をもって順次接触して、複数の導電性弾性部１８を順次導通させることができる。これにより、鍵２の押鍵強さ、つまり押鍵速度を検出することができるの、楽音の音量や音色などを制御部によって制御することができ、より一層、リアルな楽音を良好に発音させることができる。
【００９１】
また、上述した実施形態１、２およびその変形例では、弾性部材１５、４０の前端部における上面に上側当接部２０ａ、４０ａを設け、弾性部材１５、４０の前端部における下面に下側当接部２１ａ、４０ｂを設けた場合について述べたが、必ずしも弾性部材１５、４０の前端部における上面に上側当接部２０ａ、４０ａを設ける必要はなく、また必ずしも弾性部材１５、４０の前端部における下面に下側当接部２１ａ、４０ｂを設ける必要もない。
【００９２】
また、上述した実施形態１、２およびその各変形例では、鍵盤シャーシ１の基板支持部９上に配線基板１４を設け、この配線基板１４上に弾性部材１５、４０を片持ち梁状態で設けた場合について述べたが、必ずしも配線基板１４に弾性部材１５、４０を設ける必要はなく、鍵盤シャーシ１上に直接、弾性部材１５、４０を片持ち梁状態で設けた構成でも良い。この場合には、弾性部材１５、４０の各導電性弾性部１８をリード線やフレキシブルな配線基板などの接続部材によって回路基板と電気的に接続するように構成すれば良い。
【００９３】
さらに、この発明の鍵盤装置は、上述した実施形態１、２に限らず、鍵盤シャーシ１に複数のハンマー部材を各鍵２に対応させた状態で上下方向に回転可能に設け、鍵２の押鍵操作に応じてハンマー部材を回転させて鍵２にアクション荷重を付与する構成のものにも適用することができる。
【符号の説明】
【００９４】
１  鍵盤シャーシ
２  鍵
３  屈曲部
４  共通連結部
５  鍵支持部
１２  クリック感付与部材
１３  押圧突起部
１３ａ  第１斜面
１３ｂ  第２斜面
１４  配線基板
１５、４０  弾性部材
１６  導電層
１７  絶縁性弾性部
１８  導電性弾性部
２０  第１弾性体
２０ａ、４０ａ  上側当接部
２１  第２弾性体
２１ａ、４０ｂ  下側当接部
２２  絶縁層
２３  絶縁膜
Ｕ１〜Ｕｎ  第１電極配線
Ｌ１〜Ｌｎ  第２電極配線
Ｐ１〜Ｐｎ  電極配線
【図１】
2012003035.tif 000003
【図２】
2012003035.tif 000004
【図３】
2012003035.tif 000005
【図４】
2012003035.tif 000006
【図５】
2012003035.tif 000007
【図６】
2012003035.tif 000008
【図７】
2012003035.tif 000009
【図８】
2012003035.tif 000010
【図９】
2012003035.tif 000011
【図１０】
2012003035.tif 000012
【図１１】
2012003035.tif 000013
【図１２】
2012003035.tif 000014